(57)【要約】【課題】本発明の課題は、携帯エアマットにエアを吹き込むために使用し、胸ポケットなどに入れて持ち運びが可能なポケッタブルなエア吹きチューブを提供することである。【解決手段】  本発明によるポケッタブルエア吹きチューブは、ストロー状の第１の筒体とそれを中に収容する第２の筒体からなり、不使用時は、第１の筒体を第２の筒体の中に収容することで、短くなり、ポケットに収納できるようにしたことで、簡単持ち運びを可能とし、簡易携帯エアマットの使用を容易とすることを特徴としている。【選択図】図１
2006336467.tif 000002
【特許請求の範囲】
【請求項１】
第１の筒体と、第１の筒体を収容する第２の筒体と、第１の筒体と第２の筒体の間に、呼気の漏れを防止する漏れ防止部とを有することを特徴とするポケッタブルエア吹きチューブ。
【請求項２】
前記漏れ防止部は、前記第１の筒体と前記第２の筒体の間の流体抵抗を前記第１の筒体の管に比べ大きく設定するか、前記第１の筒体の先端部を広げた構造とし、前記第２の筒体の管の内径を、前記第１の筒体の先端部の広がりより狭く設定するか、前記第１の筒体と前記第２の筒体の接触に伸縮自在な材料を備えるか、のいずれかであることを特徴とする請求項１記載のポケッタブルエア吹きチューブ。
【請求項３】
前記第２の筒体の一端に被せるものであって、ポケット端に固定するための固定辺を有するキャップを有することを特徴とする前記請求項１又は請求項２記載のポケッタブルエア吹きチューブ。
【請求項４】
前記第２の筒体の他端に被せるものであって、前記他端の汚れを防止するキャップを有することを特徴とする前記請求項１又は請求項２又は請求項３に記載のポケッタブルエア吹きチューブ。
【発明の詳細な説明】
【技術分野】
【０００１】
本発明は、携帯エアマットのような使用時にエアを入れて膨らませる場合に使用して便利なエア吹き込みチューブに関するものである。
【背景技術】
【０００２】
従来、携帯エアマットのような使用時にエアを入れて膨らませる場合には、空気入れポンプを使うか、口でエアを吹き込んでいる。本発明者は、先に特許文献１に示す出願により、注意喚起エアカバーなるものを提案した。図３に示すものは、クッションとしての注意喚起エアカバーと従来のエア入れを説明する図である。３−Ａは、注意喚起エアカバーであって、通常は、折りたたまれているが、使用時は、クッション用の袋部３０１を膨らませて、人体との接触の恐れのあるところに敷設しておくものであり、エアのクッション性により、接触しても怪我を回避できるものである。携帯エアマットと一形態と見ることが出来る。袋部３０１を膨らませるには、１−Ｃに示すようにエア吹き込み部３０２に３−Ｂに示すストロー３０３を挿入して、呼気をストローから吹き込んで膨らませ、エア吹き込み部３０２を閉じることで、エアを保持する。携帯エアマットを携帯する場合には、このエアストローも携帯して便利な形態であることが望まれる。然しながら、このようなものは従来提案されていないのが実情であった。
【特許文献１】特願２００４−２５８３８５
【発明の開示】
【発明が解決しようとする課題】
【０００３】
本発明の課題は、携帯エアマットにエアを吹き込むために使用し、胸ポケットなどに入れて持ち運びが可能なポケッタブルなエア吹きチューブを提供することである。
【課題を解決するための手段】
【０００４】
本発明によるポケッタブルエア吹きチューブは、ストロー状の第１の筒体とそれを中に収容する第２の筒体からなり、不使用時は、第１の筒体を第２の筒体の中に収容することで、短くなり、ポケットに収納できるようにしたことを特徴としている。呼気により空気を入れるストロー状空気いれである。以下説明する。
【０００５】
請求項１記載の発明は、ポケッタブルエア吹きチューブであって、第１の筒体と、前記第１の筒体を収容する第２の筒体と、第１の筒体と第２の筒体の間に、呼気の漏れを防止する漏れ防止部とを有することを特徴とする。これにより、ストローのような筒状のチューブを収納して持ち運びに便利となる。
【０００６】
請求項２記載の発明は、請求項１記載のポケッタブルエア吹きチューブにおいて、前記漏れ防止部は、前記第１の筒体と前記第２の筒体の間の流体抵抗を前記第１の筒体の管に比べ大きく設定するか、前記第１の筒体の先端部を広げた構造とし、前記第２の筒体の管の内径を、前記第１の筒体の先端部の広がりより狭く設定するか、前記第１の筒体と前記第２の筒体の接触に伸縮自在な材料を備えるか、のいずれかであることを特徴とする。これにより、呼気によるエアが、両筒体の間から漏れることが防止でき、有効にエアを入れられる。
【０００７】
請求項３記載の発明は、前記請求項１又は請求項２記載のポケッタブルエア吹きチューブにおいて、前記第２の筒体の一端に被せるものであって、ポケット端に固定するための固定辺を有するキャップを有することを特徴とする。これにより、ポケットに収容してポケット端に固定でき持ち運びが容易となる。
【０００８】
請求項４記載の発明は、前記請求項１又は請求項２又は請求項３に記載のポケッタブルエア吹きチューブにおいて、前記第２の筒体の他端に被せるものであって、前記他端の汚れを防止するキャップを有することを特徴とする。これにより吹き込み口の汚れが防止できる。
【発明の効果】
【０００９】
以上の様に構成されているので、本発明のポケッタブルエア吹きチューブでは、不使用時は、小さく収納でき、胸ポケットなどに固定して携帯でき、使用時には、伸ばすことで使いやすい状態を引き出せる。又、簡単が、ストロー状の空気いれでありながら、エア漏れ防止や吹き口の汚れ防止も備えることができる。
【発明を実施するための最良の形態】
【００１０】
発明を実施するための最良の形態として提案するものであって、本発明によるポケッタブルエア吹きチューブは、ストロー状の第１の筒体とそれを中に収容する第２の筒体からなり、不使用時は、第１の筒体を第２の筒体の中に収容することで、短くなり、ポケットに収納できるようになっている。使用時は、第１の筒体を第２の筒体から引き出すことで、使い易い長さになり、又、呼気によるエアが漏れずに筒の中を移動するようになっている。
以下、説明する。
【００１１】
図１は、本発明によるポケッタブルエア吹きチューブを示す図であって、１−Ａは、不使用時の状態を示す。ストロー状の第１の筒体１０１は、第２の筒体１０２の中に収容されて、僅かに先が出ている程度である。１−Ｂは、使用時の状態を示し、第１の筒体１０１は、第２の筒体１０２から引き出された状態になっている。この状態で、図３の３−Ａに示す袋部３０１を膨らませるためのエア吹き込み部３０２に挿入し、呼気吹き込み口１０３からエアを吹き込むようになっている。尚、呼気吹き込み口１０３からの呼気が漏れずに第１の筒体１０１の先端からエア吹き込み部３０２に伝わるために、第１の筒体１０１と第２の筒体１０２の接触部には、漏れ防止部１０４が付いている。漏れ防止部１０４は、例えば、第１の筒体１０１と第２の筒体１０２の間の流体抵抗を第１の筒体１０１の管に比べはるかに大きくしてもよいし、図１の１−Ｄに見るように、第１の筒体１０１の先端部を少し大きく広げた構造にして、逆に、第２の筒体１０２の側の管の内径を絞るように狭くすれば、第１の筒体１０１を引き出したときに、第１の筒体１０１の広がり部が第２の筒体１０２の絞られた内径の部分に接触して、漏れを防ぐ構造になるようにも出来る。１０６の部分が第２の筒体１０２の内径の絞り部を示している。又、第１の筒体１０１と第２の筒体１０２の接触にゴムのような伸縮自在なものを備えることで、エアの漏れ出しを防止することも出来る。１−Ｃは、１０５がゴムで作った伸縮自在部を示している。この場合は、第１の筒体１０１の先端の広がりの部分は、特になくとも機能することが出来る。
【００１２】
図２は、本発明によるポケッタブルエア吹きチューブの発展形態を示す図である。２−Ａでは、図１で説明したものに更に第１のキャップ２０１が付いていて、このキャップ部は、ボールペンのキャップのように胸ポケットに収容したときに、ポケット端に固定するための固定辺２０２が付いている。第１のキャップ２０１は、第１の筒体１０１が第２の筒体１０２から出た側についているが、反対側につけても構わない。２−Ｂでは、更に、他の端側に第２のキャップ２０３を付けている。これは、この端側が口でくわえる側なので、収容時に汚れないようにする目的を持っている。
【産業上の利用可能性】
【００１３】
以上に説明したように、口にくわえて呼気によりエアを吹く込むストロー状で、ポケットに収容して携帯に便利なエア吹きチューブが提供され、携帯型クッション等の保安品やレジャー品のエア吹き込み器具として極めて便利であり、産業上の利用が期待される。
【図面の簡単な説明】
【００１４】
【図１】本発明によるポケッタブルエア吹きチューブを示す図である。
【図２】本発明によるポケッタブルエア吹きチューブの発展形態を示す図である。
【図３】クッションとしての注意喚起エアカバーと従来のエア入れを説明する図である。
【符号の説明】
【００１５】
１０１  第１の筒体
１０２  第２の筒体
１０３  呼気吹き込み口
１０４  漏れ防止部
１０５  伸縮自在部
１０６  第２の筒体の内径の絞り部
２０１  第１のキャップ
２０２  固定辺
２０３  第２のキャップ
３０１  袋部
３０２  エア吹き込み部
３０３  ストロー
【図１】
2006336467.tif 000003
【図２】
2006336467.tif 000004
【図３】
2006336467.tif 000005